(57)【要約】【課題】本発明は、原稿を読み取り、特定サイズ未満の小サイズ原稿が連続して排紙されて回収されるとき、その状態を給紙トレイの上方から観察しても、視認し易くした操作性の良い原稿読取装置及びそれを装着した画像形成装置を提供することを課題にする。【解決手段】集積された原稿を給紙する給紙トレイと、該給紙トレイから原稿を給紙する給紙ローラと、給紙される原稿が読み取られる読取部と、読み取られた原稿を排紙する排紙ローラと、排紙された原稿が集積される排紙トレイと、前記原稿を前記給紙トレイから前記読取部を経て前記排紙トレイに案内する搬送路とを有する原稿読取装置であって、搬送される原稿が特定のサイズ未満であるＪＯＢが行われるときは、前記排紙ローラの周速度を定常速度よりも増速させた速度にすることを特徴とする原稿読取装置。【選択図】図１
2009105603.tif 000002
【特許請求の範囲】
【請求項１】
集積された原稿を給紙する給紙トレイと、該給紙トレイから原稿を給紙する給紙ローラと、給紙される原稿が読み取られる読取部と、読み取られた原稿を排紙する排紙ローラと、排紙された原稿が集積される排紙トレイと、前記原稿を前記給紙トレイから前記読取部を経て前記排紙トレイに案内する搬送路とを有する原稿読取装置であって、
搬送される原稿が特定のサイズ未満であるＪＯＢが行われるときは、前記排紙ローラの周速度を定常速度よりも増速させた速度にすることを特徴とする原稿読取装置。
【請求項２】
前記排紙トレイは、前記排紙ローラに近接する位置の前記排紙トレイの内壁に形成される第１の原稿突当面と、底部が前記第１の原稿突当面に交わる位置から排紙方向に高くなる、前記排紙ローラに近い側の第１の傾斜面と、前記排紙ローラから遠い側の第２の傾斜面と、前記第１の傾斜面の前記排紙ローラから遠い側の端部が、前記第２の傾斜面の前記排紙ローラから近い側の端部よりも高くすることにより形成した第２の原稿突当面とを有することを特徴とする請求項１に記載の原稿読取装置。
【請求項３】
前記排紙トレイは、前記排紙ローラに近接する位置の前記排紙トレイの内壁に形成される第１の原稿突当面と、底部が前記第１の原稿突当面に交わる位置から排紙方向に高くなる第１の傾斜面と、該第１の傾斜面の中間部に前記排紙方向に低くなる第２の傾斜面を形成する凹部とを有し、且つ、該凹部における前記第２の傾斜面の前記排紙ローラから遠ざかる端部と前記第１の傾斜面との間に形成された第２の原稿突当面とを有することを特徴とする請求項１に記載の原稿読取装置。
【請求項４】
前記読取部は、前記搬送路上を搬送される原稿を前記読取部に送り込む入口ローラと、前記読取部から送り出す出口ローラを有するものであり、前記排紙ローラが定常速度から増速された速度にする期間は、原稿の後端が前記読取部の前記出口ローラを通過した時点から前記排紙ローラを通過した時点までの間の期間であることを特徴とする請求項１〜３の何れか１項に記載の原稿読取装置。
【請求項５】
前記原稿のサイズ及び枚数の情報は、操作盤に入力されることを特徴とする請求項１〜４の何れか１項に記載の原稿読取装置。
【請求項６】
前記搬送される原稿のサイズは、前記給紙ローラの下流に設けたセンサが給紙される原稿の先端及び後端を検出してその間の前記給紙ローラの駆動モータのパルス数によって計測されて得られ、前記原稿の枚数はカウンタでカウントされて得られることを特徴とする請求項１〜５の何れか１項に記載の原稿読取装置。
【請求項７】
前記原稿が特定サイズ未満の原稿と特定サイズ以上の原稿が混じって供給されるＪＯＢの情報が得られるときは、前記排紙ローラの周速度は定常速度にすることを特徴とする請求項１〜６の何れか１項に記載の原稿読取装置。
【請求項８】
請求項１〜７の何れか１項に記載の原稿読取装置を装着したことを特徴とする画像形成装置。
【発明の詳細な説明】
【技術分野】
【０００１】
本発明は給紙トレイから原稿を送り出して読取部で原稿を読み取り排紙トレイに排紙する原稿読取装置及びそれを装着した画像形成装置に関する。
【背景技術】
【０００２】
一般的に画像形成装置の頂部には原稿読取装置が設けられていて、集積された原稿の読み取りは１枚ずつ搬送されながら表側だけではなく裏側も読み取られるようにしてある。そして、給紙トレイから原稿が給紙されるとき、その原稿の表と裏の読み取りは、まず表側を読取部で読み、その後裏側を読むために原稿の表裏を反転させて、再び読取部に搬送して裏側を読み取る方式のものが用いられている。
【０００３】
そして回収される原稿は排紙トレイに排紙されて集積される。そのとき、レイアウト上の制約で排紙トレイの上部に位置する給紙トレイが、少数の原稿だけを給紙できる仕様のものは、集積される原稿の最上部の原稿を給紙位置に保持するように集積原稿を下から持ち上げる移動台の機能は必要がないので設けられていない。したがって給紙トレイの底部の手前に切り込みを入れておいたり、底部に窓を開けておけば、原稿回収時の排紙トレイの読み取済み原稿は操作する人がその目で見て確認し易くなっている。
【０００４】
しかし、上部にある給紙トレイが多めの原稿を給紙できる仕様のものは、手動の原稿幅規正部材が設けられている他に、集積される原稿の最上部の原稿を給紙位置に保持するように集積原稿を下から持ち上げる移動台の機能が設けられている。そのため、給紙トレイの底部における少なくとも中央部から給紙方向先頭部にかけての領域には窓を開けたり、正面から見て手前側に切り込みを入れておくことができにくくなる。したがって、その場合、原稿回収時の排紙トレイの読取済み原稿であって、特定サイズとして例えばＡ４判横サイズ未満の原稿は、操作する人がその目で見て上方からは確認することができない状態になる。
【０００５】
このような状勢の中にあって、その排紙トレイへの排紙に際して、特許文献１及び特許文献３では揃えを良くして原稿の状態を痛めないようにすることに着目し、例えば、排紙速度を遅くして排紙するようにしている。また、特許文献２では減速させて更にストッパに当てるような手段を採り原稿の揃えが安定するような処置が採られている。しかし、排紙速度を減速させることは全体の搬送速度を減速させることになり、生産性も低下するし好ましくない。また、特定サイズ未満の原稿が視認しにくい現象を解消しようとする意図は見られず、原稿が安定して読み込まれているかどうかの不安感に基づく操作性の悪さが残されたままになっている。
【特許文献１】特開平６−２４６０４号公報
【特許文献２】特開平９−８６７５５号公報
【特許文献３】特開平１０−２５０９４４号公報
【発明の開示】
【発明が解決しようとする課題】
【０００６】
本発明は上述のような従来技術の欠点を解消し、排紙トレイへの排紙速度を揃えが損なわれない範囲で増速し、特定サイズ未満の小サイズ原稿を連続して読み取るＪＯＢが行われるときでも、排紙されて回収される状態が上方から見て十分視認できるように改良するものである。即ち、特定サイズ未満の原稿を連続して読み取るＪＯＢでも、特定サイズ以上の原稿のＪＯＢが行われるときと同様に、給紙トレイの上方から観察しても、視認し易くした操作性の良い原稿読取装置及びそれを装着した画像形成装置を提供することを課題にする。
【０００７】
尚、本発明においてＪＯＢとは、給紙トレイに所定枚数の原稿を載置してスタート釦を押して読み取りを始め、排紙トレイ上に前記所定枚数の原稿を回収する迄になされる連続する一連の仕事のことである。また、本発明において、原稿を搬送する各ローラは駆動ローラとそれを押圧する押圧ローラで構成されるローラ対を指し、該ローラ対は単にローラと呼称する。
【課題を解決するための手段】
【０００８】
この目的は次の技術手段１〜８の何れかによって達成される。
１．集積された原稿を給紙する給紙トレイと、該給紙トレイから原稿を給紙する給紙ローラと、給紙される原稿が読み取られる読取部と、読み取られた原稿を排紙する排紙ローラと、排紙された原稿が集積される排紙トレイと、前記原稿を前記給紙トレイから前記読取部を経て前記排紙トレイに案内する搬送路とを有する原稿読取装置であって、
搬送される原稿が特定のサイズ未満であるＪＯＢが行われるときは、前記排紙ローラの周速度を定常速度よりも増速させた速度にすることを特徴とする原稿読取装置。
２．前記排紙トレイは、前記排紙ローラに近接する位置の前記排紙トレイの内壁に形成される第１の原稿突当面と、底部が前記第１の原稿突当面に交わる位置から排紙方向に高くなる、前記排紙ローラに近い側の第１の傾斜面と、前記排紙ローラから遠い側の第２の傾斜面と、前記第１の傾斜面の前記排紙ローラから遠い側の端部が、前記第２の傾斜面の前記排紙ローラから近い側の端部よりも高くすることにより形成した第２の原稿突当面とを有することを特徴とする１に記載の原稿読取装置。
３．前記排紙トレイは、前記排紙ローラに近接する位置の前記排紙トレイの内壁に形成される第１の原稿突当面と、底部が前記第１の原稿突当面に交わる位置から排紙方向に高くなる第１の傾斜面と、該第１の傾斜面の中間部に前記排紙方向に低くなる第２の傾斜面を形成する凹部とを有し、且つ、該凹部における前記第２の傾斜面の前記排紙ローラから遠ざかる端部と前記第１の傾斜面との間に形成された第２の原稿突当面とを有することを特徴とする１に記載の原稿読取装置。
４．前記読取部は、前記搬送路上を搬送される原稿を前記読取部に送り込む入口ローラと、前記読取部から送り出す出口ローラを有するものであり、前記排紙ローラが定常速度から増速された速度にする期間は、原稿の後端が前記読取部の前記出口ローラを通過した時点から前記排紙ローラを通過した時点までの間の期間であることを特徴とする１〜３の何れか１項に記載の原稿読取装置。
５．前記原稿のサイズ及び枚数の情報は、操作盤に入力されることを特徴とする１〜４の何れか１項に記載の原稿読取装置。
６．前記搬送される原稿のサイズは、前記給紙ローラの下流に設けたセンサが給紙される原稿の先端及び後端を検出してその間の前記給紙ローラの駆動モータのパルス数によって計測されて得られ、前記原稿の枚数はカウンタでカウントされて得られることを特徴とする１〜５の何れか１項に記載の原稿読取装置。
７．前記原稿が特定サイズ未満の原稿と特定サイズ以上の原稿が混じって供給されるＪＯＢの情報が得られるときは、前記排紙ローラの周速度は定常速度にすることを特徴とする１〜６の何れか１項に記載の原稿読取装置。
８．１〜７の何れか１項に記載の原稿読取装置を装着したことを特徴とする画像形成装置。
【発明の効果】
【０００９】
本発明によれば、小サイズの原稿であっても、オペレータは読み取りが完了した原稿を視認できるようになり、原稿を視認しながら、操作を進められるので作業性や操作性が向上する。
【発明を実施するための最良の形態】
【００１０】
以下、本発明の実施の形態を図を用いて説明する。なお、本欄の記載は請求項の技術的範囲や用語の意義を限定するものではない。また、以下の、本発明の実施の形態における断定的な説明は、ベストモードを示すものであって、本発明の用語の意義や技術的範囲を限定するものではない。
【００１１】
まず、本発明の原稿読取装置が装着された画像形成装置の概要について図１の正面図を用いて説明する。
【００１２】
図１に示す画像形成装置１は、デジタル方式による画像形成装置であって、画像読取部Ａ、画像処理部Ｂ、画像形成部Ｃ、用紙搬送手段としての用紙搬送部Ｄから構成されている。
【００１３】
原稿画像の読取手段として、画像形成装置１の本体上部に組み込まれた前記画像読取部Ａがある。即ち、プラテンガラス１２３上に原稿を置いて、それを静止させたまま読み込む手段である。即ち、該原稿の画像は走査光学系を構成する照明ランプ及び第１ミラーから成る第１ミラーユニット１２５の速度ｖによる読み取り動作と、Ｖ字状に位置した第２ミラー及び第３ミラーから成る第２ミラーユニット１２６の同方向への速度ｖ／２による移動によって読み取られる。読み取られた画像は、投影レンズ１２７を通してラインセンサである撮像素子ＣＣＤの受光面に結像される。
【００１４】
一方、別の原稿画像の読取手段として集積された原稿を１枚ずつ搬送しながら読み取る本発明の原稿読取装置１００が画像形成装置１の本体の上方に装着可能にしてある。該原稿読取装置１００では、その上部に置かれた給紙トレイ１０２から１枚ずつ分離されて送り出される原稿は、順次、搬送されながら撮像素子ＣＣＤを有する表面の読取部１１１Ａ及び裏面の読取部１１１Ｂにて原稿画像の表裏が読み取られる。原稿画像の表面及び裏面の読み取りが終了した原稿は原稿排紙ローラ１１５によって原稿の排紙トレイ１１７上に排出される。尚、この原稿読取装置１００についての詳細については後述する。
【００１５】
前者の読取手段は、後者の読取手段を後方へ跳ね上げて、オペレータが原稿をプラテンガラス上に置いて原稿を読み取って複写に用いることができるもので、読み取りの対象は１枚の紙の形に限らず、書物の任意のページの複写も可能であるようにしてある。
【００１６】
これに対して、後者の読取手段は複数枚の原稿を続けて読み取り、複写することも可能にしてあり、両者は目的に応じて使い分けられることが可能になる。
【００１７】
このように上記何れかの手段によって読み取られた画像、即ち、撮像素子ＣＣＤ上に結像されたライン状の光学像は、順次電気信号（輝度信号）に光電変換されたのちＡ／Ｄ変換を行い、画像処理部Ｂにおいて濃度変換、フィルタ処理などの処理が施された後、画像データは一旦メモリに記憶される。
【００１８】
画像形成部Ｃでは、画像形成ユニットとして、像担持体であるドラム状の感光体２１と、その外周に、該感光体２１を帯電させる帯電手段２２、帯電した感光体の表面電位を検出する電位検出手段２２０、現像手段２３がそれぞれ動作順に配置される。更に、転写分離手段である転写極２４及び分離極２５、前記感光体２１のクリーニング装置２６及び光除電手段としてのＰＣＬ（プレチャージランプ）２７が各々動作順に配置されている。また、現像手段２３の下流側には感光体２１上に現像されたパッチ像の反射濃度を測定する反射濃度検出手段２２２が設けられている。感光体２１は、光導電性化合物をドラム基体上に塗布形成したもので、例えば有機感光体（ＯＰＣ）が好ましく使用され、図示の時計方向に駆動回転される。
【００１９】
回転する感光体２１へは帯電手段２２による一様帯電がなされた後、像露光手段としての露光光学系３０により画像処理部Ｂのメモリから呼び出された画像信号に基づいた像露光が行われる。書き込み手段である像露光手段としての露光光学系３０は図示しないレーザーダイオードを発光光源とし、回転するポリゴンミラー３１、ｆθレンズ３４、シリンドリカルレンズ３５を経て反射ミラー３２により光路が曲げられ主走査がなされるものである。そして感光体２１に対してＡｏの位置において像露光が行われ、感光体２１の回転（副走査）によって潜像が形成される。本実施の形態の一例では文字部に対して露光を行い潜像を形成する。
【００２０】
感光体２１上の潜像は現像手段２３によって反転現像が行われ、感光体２１の表面に可視像のトナー像が形成される。そのトナー像は後述する転写位置Ｂｏで転写材としての用紙Ｐ上に転写される。用紙Ｐはプラスチックのものであっても良い。
【００２１】
用紙搬送部Ｄでは、画像形成ユニットの下方に異なるサイズの用紙Ｐが収納された用紙収納手段としての給紙ユニット４１（Ａ）、４１（Ｂ）、４１（Ｃ）が設けられ、また側方には手差し給紙を行う手差し給紙ユニット４２が設けられている。それらの何れかから選択された用紙Ｐは案内ローラ４３によって搬送路４０に沿って給紙され、給紙される用紙Ｐの傾きと偏りの修正を行うレジストローラ対４４によって用紙Ｐは一時停止を行ったのち再給紙が行われる。そして搬送路４０、転写前ローラ４３ａ、給紙経路４６及び進入ガイド板４７に案内され、感光体２１上のトナー画像が転写位置Ｂｏにおいて転写極２４及び分離極２５によって用紙Ｐ上に転写され、搬送ベルト装置４５の搬送ベルト４５４に載置搬送される。このようにして、前記用紙Ｐは感光体２１面より分離し、前記搬送ベルト装置４５により定着手段としての定着装置５０に搬送される。
【００２２】
定着装置５０は加熱源を持つ、回転体加熱部材としての定着ローラ５１と加圧部材としての加圧ローラ５９とを有しており、用紙Ｐを定着ローラ５１と加圧ローラ５９との間を通過させることにより、加熱、加圧によってトナーを定着させる。トナー画像の定着を終えた用紙Ｐは排出ローラ６３により排紙トレイ６４上に排出される。
【００２３】
以上は用紙Ｐの片側への画像形成を行う状態を説明したものであるが、両面複写の場合は２方向切換ゲートとしての排紙切換部材１７０が切り替わり、用紙案内部１７７が開放され、用紙としての用紙Ｐは破線矢印の方向に搬送される。
【００２４】
更に、搬送機構１７８により用紙Ｐは下方に搬送され、用紙反転部１７９によりスイッチバックさせられ、用紙としての用紙Ｐの後端部は先端部となって両面複写用給紙ユニット１３０内に搬送される。
【００２５】
用紙Ｐは両面複写用給紙ユニット１３０に設けられた搬送ガイド１３１を給紙方向に移動し、給紙ローラ１３２で用紙Ｐを再給紙し、用紙Ｐを搬送路４０に案内する。
【００２６】
再び、上述したように感光体２１の方向に用紙Ｐを搬送し、用紙Ｐの裏面にトナー画像を転写し、定着装置５０で定着した後、排出ローラ６３により排紙トレイ６４上に排紙する。
【００２７】
次に本発明の画像形成装置１に装着される、本発明の原稿読取装置１００について図１と共に、図２及び図３の原稿読取装置における給紙トレイ及び排紙トレイの部分を示す図を用いて詳細に説明する。ここに、図２（ａ）は原稿読取装置における一実施例の給紙トレイ及び排紙トレイの部分の平面図であり、図２（ｂ）はその正面図である。図３（ａ）は原稿読取装置における別の実施例の給紙トレイ及び排紙トレイの部分の平面図であり、図３（ｂ）はその正面図である。
【００２８】
この原稿読取装置１００には、集積された原稿を給紙する給紙トレイ１０２と、給紙される原稿の読取部１１１として、表面画像が読み取られる表面読取部１１１Ａ及び裏面画像が読み取られる裏面読取部１１１Ｂと、読み取られた原稿が集積される排紙トレイ１１７とが設けられている。更に、前記原稿を前記給紙トレイ１０２から前記表面読取部１１１Ａ、裏面読取部１１１Ｂを経て前記排紙トレイ１１７に案内する搬送路１０４と、該搬送路１０４内を原稿を搬送させる複数の搬送ローラが設けられている。尚、読取部１１１にはＣＣＤのラインセンサが用いられている。
【００２９】
前記搬送ローラとして上流側から給紙ローラ１０５、レジストローラ１０７、前記表面読取部１１１Ａへの入口ローラ１０９、裏面読取部１１１Ｂの出口に設けた出口ローラ１１３及び排紙トレイ１１７への排紙ローラ１１５が配列されている。
【００３０】
また、給紙ローラ１０５には、それを直結駆動するパルスモータＭ１が、レジストローラ１０７にはそれを駆動するモータＭ２が、入口ローラ１０９及び出口ローラ１１３にはそれ等を共に駆動するパルスモータＭ３が、排紙ローラ１１５には加減速可能なモータＭ４が直結されて設けられている。上記各モータで駆動されるローラ間の間隔は最小原稿サイズの長さより短い寸法にしてある。
【００３１】
また、前記給紙ローラ１０５及び前記入口ローラ１０９に近接した下流側並びに前記レジストローラ１０７及び排紙ローラ１１５に近接した上流側に原稿の先端又は後端を検出するセンサ１０６、１１０、１０８、１１６が設けられている。
【００３２】
このような原稿読取装置１００の各機能は、表面読取部１１１Ａを除いて筐体１０１の中に収納されている。表面読取部１１１Ａは画像形成装置の本体部の中に組み込まれている。しかし、筐体１０１の中に組み込まれる構造にしても良い。
【００３３】
なお、給紙された原稿の先端をセンサ１０８が検出するとレジストローラ１０７が一旦停止し、原稿の先端が揃えられて入口ローラ１０９を経て表面読取部１１１Ａ及び裏面読取部１１１Ｂからなる読取部１１１に送り込まれる。したがって、原稿の表裏が正しい位置で正確に読みとれる。
【００３４】
そして連続して搬送される原稿が特定のサイズ未満であるＪＯＢが行われるとき、前記排紙ローラ１１５の周速度を所定期間定常速度よりも増速させた速度に切換えて排紙させている。そして排紙トレイ１１７に集積される原稿の後端位置が、連続して搬送される特定サイズ以上の原稿のＪＯＢが行われるときの、前記排紙トレイ１１７に集積される原稿の後端位置よりも、前記排紙ローラの位置から遠ざかる位置にしてある。
【００３５】
ここに、排紙トレイ１１７の実施例の１つとして、排紙トレイ１１７Ａは、図１の他に図２（ａ）、（ｂ）にも示すように、前記排紙ローラに近接する位置の前記排紙トレイ１１７Ａの内壁に形成される第１の原稿突当面１１９Ｌを有する。更に、該排紙トレイ１１７Ａは、底部が前記第１の原稿突当面１１９Ｌに交わる位置から排紙方向に高くなる、前記排紙ローラ１１５に近い側の第１の傾斜面１１８Ａを有する。更に、該排紙トレイ１１７Ａは、前記排紙ローラ１１５から遠い側の第２の傾斜面１１８Ｂを有する。更に、該排紙トレイ１１７Ａは、前記第１の傾斜面１１８Ａの前記排紙ローラ１１５から遠い側の端部が、前記第２の傾斜面１１８Ｂの前記排紙ローラ１１５から近い側の端部よりも高くすることにより形成した第２の原稿突当面１１８Ｓを有するものである。
【００３６】
この第１の原稿突当面１１９Ｌ及び第２の原稿突当面１１８Ｓが原稿の端面を揃える面となっている。
【００３７】
即ち、前記連続して搬送される原稿が特定のサイズ未満であるＪＯＢが行われるとき、前記原稿の後端部は、前記排紙トレイの底部の傾斜部１１８Ｂに載置されながら設けられた第２の原稿突当面１１８Ｓまで滑り戻されて揃えられるようにしてある。
【００３８】
第１の原稿突当面１１９Ｌは連続して搬送される原稿が特定のサイズ以上の原稿及びそれが混じった原稿が揃えられる対象となる。
【００３９】
また、別の実施例として、排紙トレイ１１７Ｂは、図３（ａ）、（ｂ）に示すように、前記排紙ローラ１１５に近接する位置の前記排紙トレイ１１７Ｂの内壁に形成される第１の原稿突当面１１９Ｌを有する。更に、該排紙トレイ１１７Ｂは、底部が前記第１の原稿突当面１１９Ｌに交わる位置から排紙方向に高くなる第１の傾斜面１１９Ａを有する。更に、該排紙トレイ１１７Ｂは、該第１の傾斜面１１９Ｌの中間部に前記排紙方向に低くなる第２の傾斜面１１９Ｂを形成する凹部１１９Ｄを有する。且つ、該排紙トレイ１１７Ｂは、該凹部１１９Ｄにおける前記第２の傾斜面１１９Ｂの前記排紙ローラ１１５から遠ざかる端部と前記第１の傾斜面１１９Ａとの間に形成された第２の原稿突当面１１９Ｓを有する。
【００４０】
そして連続して搬送される原稿が特定のサイズ未満であるＪＯＢが行われるとき、原稿の先端部は、原稿突当面１１９Ｓに前記原稿の先端を突き当てて第２の傾斜面１１９Ｓ上に揃えられるようにすることができる。
【００４１】
なお、特定のサイズ以上の原稿及びそれが混じったＪＯＢが行われるとき、原稿は排紙ローラ１１５に近い位置に設けられた第１の原稿突当面壁面１１９Ｌに揃えられて集積される。
【００４２】
前記読取部１１１は原稿表面の表面読取部１１１Ａ及び原稿裏面の裏面読取部１１１Ｂを備えているが表面又は裏面の一方だけを働かすことも可能である。
【００４３】
前記入口ローラ１０９の近くに設けた前記センサ１１０により原稿の先端及び後端が検知されると共に、前記入口ローラ１０９のパルスモータにより、前記センサ１１０から出口ローラ１１３迄の距離のパルス数がカウントされる。このようにして原稿の読み取りが完了して原稿の後端が、前記出口ローラ１１３を通過した時点が検知される。これによって前記排紙ローラ１１５の周速度、即ち排紙速度は、定常速度から増速された速度に切換わる。そして前記排紙ローラ１１５の上流側の位置に設けられた排紙センサ１１６により原稿の後端が検知され、その時点より前記排紙ローラ１１５を通過する時間差を加算した時点において、増速された速度から定常速度に切り換えるようにしてある。
【００４４】
尚、原稿の排紙速度を増速するとき、原稿の揃えが乱れることは好ましくないので、その乱れが発生しない範囲内の速度として本実施例においては定常速度を３２ｃｍ／ｓとし、これに対し増速の場合の速度を４０ｃｍ／ｓにした。しかし、これに限定されるものではない。
【００４５】
また、連続して搬送される原稿が特定のサイズ未満であるとき、そのサイズと共に枚数を設定するＪＯＢの内容が、操作盤に入力されることによって、原稿の読み取りと排紙トレイの視認し易い位置（図２では１１８Ｂ、図３では１１９Ｂの位置）への集積が自動的に行われる。
【００４６】
前記原稿のサイズは、このように前記給紙トレイ１０２に載置される原稿の情報を操作盤に入力させて決めることができると共に次の手段によって行うこともできる。
【００４７】
即ち、前記原稿のサイズは、前記給紙ローラ１０５の下流に設けたセンサ１０６が給紙される原稿の先端及び後端を検出してその間に給紙ローラを駆動する駆動モータのパルス数を計測して得ることもできる。即ち１パルス当たりの定数である前記給紙ローラの走行距離と前記パルス数の積によって求められる。
【００４８】
このようにすると、ＪＯＢのスタート時にＪＯＢ内容を操作盤に入力することなく、原稿サイズを計測しながら排紙トレイに集積させることが可能になる。また、入力したＪＯＢの原稿サイズを再確認しながら進めることも可能になる。
【００４９】
このように原稿サイズを計測するには、センサ１０６の位置から入口ローラ１０９迄の長さは、少なくとも使用する原稿の最大長さが必要になる。そして画像形成装置１の総高さを大きくすることは操作性の観点から制限があり、原稿読取装置は必然的に画像形成装置１の上部で水平方向に伸びた扁平な形になる。したがって、図１に示すように給紙トレイ１０２と入口ローラ１０９までの長さが長くなり、排紙トレイ１１７は給紙トレイ１０２の直下に近く配置されるようになる。
【００５０】
このような配置が行われると、給紙トレイ１０２の底部に設けた集積原稿を下から持ち上げる移動台１０２Ａやサイド規正板１０２Ｂを装着した中容量タイプの給紙トレイでは、それらの部分には窓や切り欠きを設けることができない。したがって、排紙トレイ上に集積される原稿の後端位置が従来のような位置であると、排紙された特定サイズ未満の原稿の状態を視認するのが困難になる。
【００５１】
しかし、その場合、給紙トレイの給紙方向と反対方向の端部の底部に設ける窓１０２Ｗや幅方向正面に設ける切欠き部１０２Ｖを施すことができるので、特定サイズ未満の原稿の後端位置を排紙ローラの位置から離した位置に集積し、排紙トレイ１１７上の原稿の視認がし易くできる。
【００５２】
したがって、本発明においては特定サイズ未満の小サイズの原稿を特定サイズ以上の大サイズの原稿の一部が視認できる位置まで輸導して揃えるようにして、操作し易くなるようにした。そのために前述のように、連続して搬送される特定サイズ未満の原稿を排紙トレイ１１７に集積するＪＯＢが行われる場合は、そのサイズを予め検知して排紙ローラ１１５の周速を切り換えて増速する。但し、原稿の後端が出口ローラ１１３を通過するまでは、排紙ローラ１１５の排紙速度は定常速度にしておくことが必要である。また、原稿の後端が排紙ローラ１１５を通過するのをセンサ１１６による検知と、検知後の排紙ローラ１１５までの到達時間差をカウントして排紙ローラ１１５の通過を確認して、該排紙ローラ１１５を定常速度に戻しておくことが必要である。
【００５３】
そして、原稿の後端又は先端が排紙ローラ１１５の位置から、通常よりも離れた位置に揃えて集積できるようにしたものである。
【００５４】
しかし、先行した特定サイズ以上の原稿が排紙トレイ１１７に残っているままで、特定サイズ未満の原稿の排紙速度を増速しても、突起部１１８や凹部１１９Ｄを特定サイズ以上の原稿で塞いでしまうので特定サイズ以上の原稿と同じ位置に後端が揃えられるように集積される。
【００５５】
したがって、前記特定サイズ未満の原稿と特定サイズ以上の原稿が混じって供給されるＪＯＢが検知される場合には、特定サイズ以上の原稿だけが供給されるＪＯＢと同じように、前記排紙速度は定常速度のままにすることが好ましい。
【００５６】
以上説明した本発明の原稿読取装置の作動プロセスを図４のフローチャートで示すと次のようになる。
【００５７】
Ｓ１でスタートされ、Ｓ２でＪＯＢが入力される。このＪＯＢの入力は操作盤に原稿サイズと枚数を入力して行われる。Ｓ３で搬送される原稿が特定サイズ未満であるかどうかを判定する。そうであればＳ５に進み、そうでなければＳ４の連続して搬送される原稿が特定サイズ以上の原稿又はそれの混じったサイズとなる。
【００５８】
Ｓ５で原稿サイズとして長さが検知され、ＪＯＢの入力内容が再確認される。これは給紙ローラ１０５の近傍に設けられたセンサ１０６により原稿の先端及び後端を検出すると共にその間の原稿のサイズを給紙ローラ１０５及びそれに直結したパルスモータＭ１のパルス数によって得られる。Ｓ６で原稿の先端揃えがなされる。即ち、センサ１０８でレジストローラ１０７を一旦停止して原稿先端を正しい位置に調整した上で搬送を続ける。Ｓ７で原稿の入口ローラ１０９に達し、その近くにあるセンサ１１０と共に原稿の読み取り開始と終了のプログラムが設定される。即ち、センサ１１０による原稿の先端、後端の検出と入口ローラ１０９に直結したパルスモータＭ３によって読取部１１１における原稿読み取りから、出口ローラ１１３を原稿の後端が通過するまでのタイミングがプログラムとして設定される。Ｓ８でそのプログラムが実行される。読取部１１１の読み取りの開始と終了がなされ、出口ローラ１１３を原稿後端が通過する。Ｓ９で出口ローラ１１３を原稿の後端が通過したかどうかが判断される。通過が確認されると、Ｓ１０で直ちに通過信号が排紙ローラ１１５に直結したモータＭ４に伝達される。モータＭが通過を確認することによって排紙ローラを定常速度から増速した速度に切換える。Ｓ１１で排紙ローラ１１５を原稿の後端が通過したかどうか判断される。センサ１１６の検知と排紙ローラ１１５までの時間差の加算による通過情報を得て通過判断がなされ、Ｓ１２で、排紙ローラの増速した速度をもとの定常速度に切換える。Ｓ１３でＪＯＢの所定枚数が全て集積し終わったかどうかを確認しながら、Ｓ８からＳ１３迄の間のステップを繰り返す。Ｓ１４でＪＯＢ設定時に入力の原稿枚数がカウンタにより全て排紙トレイ１１７へ集積終了をしたことを確認する。即ち、連続して搬送される特定サイズ未満の原稿のＪＯＢの終了を確認する。そして次のＪＯＢに移行するためＳ１のスタートに戻る。
【００５９】
一方、Ｓ３で連続して搬送される原稿が特定サイズ未満でなく、特定サイズ以上の原稿又はそれの混じったＪＯＢであることが判定された場合には、Ｓ４に進む。更に、Ｓ１６，Ｓ１７、Ｓ１８，Ｓ１９の各ステップがＳ５，Ｓ６、Ｓ７，Ｓ８の各ステップと全く同じように進む。そしてＳ２０において、ＪＯＢ中、排紙ローラの定常速度を変更することなく原稿を排紙トレイの特定サイズ以上の原稿の集積位置に集積する。Ｓ２１にて、設定枚数の原稿の排紙トレイへの集積終了したかどうか確認する。Ｓ２２にてそれを確認することによって特定サイズ以上の原稿又はそれの混じったＪＯＢを終了する。そして次のＪＯＢに移行するためＳ１のスタートに戻る。
【００６０】
このような原稿読取装置１００を装着した画像形成装置１は、排紙トレイ１１７に読み取られた原稿が回収されるとき、プリントの生産性が向上するばかりでなく、容易に目で見て確認できるので安心感があり操作性が向上する。
【図面の簡単な説明】
【００６１】
【図１】本発明の原稿読取装置が装着された画像形成装置の正面図である。
【図２】原稿読取装置における給紙トレイ及び排紙トレイの部分を示す一実施例の図であり、（ａ）は平面図であり、（ｂ）はその正面図である。
【図３】原稿読取装置における給紙トレイ及び排紙トレイの部分を示す別の実施例の図であり、（ａ）は平面図であり、（ｂ）はその正面図である。
【図４】本発明の原稿読取装置の作動プロセスを示すフローチャートである。
【符号の説明】
【００６２】
１  画像形成装置
１００  原稿読取装置
１０２  給紙トレイ
１０２Ａ  移動台
１０２Ｂ  サイド規正板
１０２Ｗ  窓
１０２Ｖ  切り欠き
１０４  搬送路
１０５  給紙ローラ
１０７  レジストローラ
１０６，１１０，１０８，１１６  センサ
１０９  入口ローラ
１１１  読取部
１１１Ａ  表面読取部
１１１Ｂ  裏面読取部
１１３  出口ローラ
１１５  排紙ローラ
１１７，１１７Ａ，１１７Ｂ  排紙トレイ
１１８Ａ，１１９Ａ  第１の傾斜面
１１８Ｂ，１１９Ｂ  第２の傾斜面
１１８Ｓ，１１９Ｓ  第２の原稿突当面
１１９Ｌ  第１の原稿突当面
１１９Ｄ  凹部
【図１】
2009105603.tif 000003
【図２】
2009105603.tif 000004
【図３】
2009105603.tif 000005
【図４】
2009105603.tif 000006